(57)【要約】【課題】  ダンボールよりも柔軟性のある厚手の紙で作られ、折り畳み可能であり、箱状態にしたとき蓋体が開いた状態または閉じた状態が維持できること。【解決手段】  ４側面１，２，３，４からなる箱本体Ａの特定の側面４から連続的に形成された蓋体１３の自由端側に折曲形成した蓋体側面１４は、箱本体Ａの蓋体１３を連続的に形成した側面４に対向する側面２と重なり合い、蓋体側面１４から突出形成した凸部１４ａは側面２に形成した切り起し溝２ｂに挿脱自在となる。同時に、側面２に形成した凸片部２ａは、蓋体側面１４の切溝１４ｂに挿脱自在となる。【選択図】    図１
2005280779.tif 000002
【特許請求の範囲】
【請求項１】
４側面からなる箱本体の特定の側面から連続的に形成された蓋体と、
前記蓋体の自由端側に折曲形成し、前記箱本体の蓋体を連続的に形成した側面に対向する側面と重なり合う蓋体側面と、
前記蓋体側面から突出形成した凸部及び前記蓋体側面に形成した切溝と、
前記箱本体の蓋体を連続的に形成した側面に対向する側面に形成した切り起し溝によって前記蓋体側面から突出形成した凸部が挿脱自在に収容されると同時に、前記側面に形成した切り起し溝によって形成された前記蓋体側面に形成した切溝に挿脱自在な凸片部と
を具備することを特徴とする包装用箱。
【請求項２】
４側面からなる箱本体の特定の側面から連続的に切曲形成され、前記４側面からなる箱本体の底部の対向側の側面までの距離に形成された底面と、
前記底面の自由端側に突出形成された１個以上の係合凸部と、
前記箱本体の底面を切曲形成した側面に対向する側面の下部に形成され、前記底部の自由端側に突出形成された前記１個以上の係合凸部を収容する切欠部と
を具備することを特徴とする包装用箱。
【請求項３】
４側面からなる箱本体の特定の側面から連続的に形成された蓋体と、
前記蓋体の自由端側に折曲形成し、前記箱本体の蓋体を連続的に形成した側面に対向する側面と重なり合う蓋体側面と、
前記蓋体側面から突出形成した凸部及び前記蓋体側面に形成した切溝と、
前記箱本体の蓋体を連続的に形成した側面に対向する側面に形成した切り起し溝によって前記蓋体側面から突出形成した凸部が挿脱自在に収容されると同時に、前記側面に形成した切り起し溝によって形成された前記蓋体側面に形成した切溝に挿脱自在な凸片部と、
４側面からなる箱本体の前記蓋体を形成した側面に拘束されることのない特定の側面から連続的に切曲形成され、前記４側面からなる箱本体の底部の対向する側面までの距離に形成された底面と、
前記底部の自由端側に突出形成された１個以上の係合凸部と、
前記箱本体の底部を切曲形成した側面に対向し、下部に前記底部の自由端側に突出形成された前記１個以上の係合凸部を収容する切欠部と
を具備することを特徴とする包装用箱。
【発明の詳細な説明】
【技術分野】
【０００１】
本発明は、包装用箱に関するもので、特に、折り畳んで所持し、収容物があるときに箱として機能させる包装用箱に関するものである。
【背景技術】
【０００２】
一般に、折り曲げて作る箱に関し、特に、折り畳んだ状態から接着剤、ステープル或いは粘着テープ等を使用することなく簡単に箱状の容器を組み立てることができ、また、箱状の容器から収納物を取出した後は、簡単に二重に折り畳むことができる通い箱等として使用できる技術に、特許文献１に記載の発明がある。
【０００３】
上記特許文献１に記載の発明は、包装用箱の底面や上面を閉じるため、側パネルと端パネルの上辺や下辺の折線から延設した第一のフラップと第二のフラップとを、側パネルと端パネルと同様に隣接するものが折線を介して連続するものとし、更に、それらの中央からタブ状の突片を突設し、第一のフラップと第二のフラップを前後して箱の内側に折り曲げて、箱の上面や下面を閉じたとき、前記の突片を他方のフラップのストッパとして上下のフラップが固定されるようにしたものである。
【特許文献１】特願２００１−９７３５８
【発明の開示】
【発明が解決しようとする課題】
【０００４】
このように、特許文献１の発明は、箱をダンボールで形成するものであるから、その弾性力によって特定の形状を保持させることができる。
しかし、通常の包装用箱のように、ダンボールよりも柔軟性のある厚手の紙で作られた箱では、その柔軟性により、特定の形状を保持し難くなる。
【０００５】
そこで、本発明は、これらの問題点を解消すべく、ダンボールよりも柔軟性のある厚手の紙で作られ、折り畳み可能であり、箱状態にしたとき蓋体が開いた状態または閉じた状態が維持できる包装用箱の提供を課題とするものである。
【課題を解決するための手段】
【０００６】
請求項１にかかる包装用箱は、４側面からなる箱本体の特定の側面から連続的に形成された蓋体と、前記蓋体の自由端側に折曲形成し、前記箱本体の蓋体を連続的に形成した側面に対向する側面と重なり合う蓋体側面と、前記蓋体側面から突出形成した凸部及び前記蓋体側面に形成した切溝と、前記箱本体の蓋体を連続的に形成した側面に対向する側面に形成した切り起し溝によって前記蓋体側面から突出形成した凸部が挿脱自在に収容されると同時に、前記側面に形成した切り起し溝によって形成された前記蓋体側面に形成した切溝に挿脱自在な凸片部とを具備するものである。
ここで、４側面からなる箱本体の特定の側面から連続的に形成された蓋体は、前記特定の側面に隣接する側面よりも長い側面に形成すると、不要とする紙の切り捨て面積を少なくすることができる。しかし、短い側面に形成することを否定するものではない。
また、上記蓋体側面から突出形成した凸部と上記蓋体側面に形成した切溝において、凸部はその紙面の有効的利用からして、接触抵抗の大きい略長方形とするのが望ましい。また、切溝については、直線状でもよいが、彎曲させて凸片部との接触面積を広くするのが好適である。結論的には、いずれも意匠性を考慮できる。
そして、上記箱本体の蓋体を連続的に形成した側面に対向する側面と重なり合う蓋体側面は、その対向する側面と重なり合う面は、意匠性を考慮して決定できる。
更に、上記蓋体側面に突出するように切曲形成し、上記蓋体側面に形成した切溝に挿脱自在な凸片部は、略コ字状、略Ｕ字状に切り起し溝を入れて形成したものであればよい。
なお、ここで、切溝とは、単に、直線状または曲線状に切ったものであり、また、切り起し溝は、複数の直線にて凸状または曲線状に切った結果、舌片を形成したものである。
【０００７】
請求項２にかかる包装用箱は、４側面からなる箱本体の特定の側面から連続的に切曲形成され、前記４側面からなる箱本体の底部の対向側の側面までの距離に形成された底面と、前記底面の自由端側に突出形成された１個以上の係合凸部と、前記箱本体の底面を切曲形成した側面に対向する側面の下部に形成され、前記底部の自由端側に突出形成された前記１個以上の係合凸部を収容する切欠部とを具備するものである。
ここで、箱本体の底面の対向側面までの距離に形成された底部は、前記特定の側面に隣接する側面よりも長い側面に形成すると、不要とする紙の切り捨て面積を少なくすることができる。しかし、短い側面に形成することを否定するものではない。
また、上記１個以上の係合凸部とは、略長方形の突出形状または鍵形（略Ｌ字状）の突出形状とすることができ、好ましくは、容易に切欠部から離脱しない構造であればよい。
【０００８】
請求項３にかかる包装用箱は、前記請求項１及び請求項２の構成を同時に具備するものである。したがって、請求項１及び請求項２の要件を併せ持つ。
【発明の効果】
【０００９】
請求項１にかかる包装用箱は、４側面からなる箱本体の特定の側面から連続的に形成された蓋体の自由端側に折曲形成した蓋体側面は、前記箱本体の蓋体を連続的に形成した側面に対向する側面と重なり合い、前記蓋体側面から突出形成した凸部は前記側面に形成した切り起し溝に挿脱自在となる。同時に、前記側面に形成した凸片部は、前記蓋体側面の切溝に挿脱自在となる。
したがって、前記蓋体側面から突出形成した凸部が前記側面に形成した切り起し溝に挿入され、前記側面に形成した凸片部が前記蓋体側面の切溝に挿入されると、その接触抵抗及び弾性により、包装用箱の蓋体は閉じた状態を維持する。また、前記蓋体側面から突出形成した凸部が前記側面に形成した切り起し溝に挿入されていないとき、前記側面に形成した凸片部が前記蓋体側面の切溝に挿入されていないとき、包装用箱の蓋体は開いた状態を維持する。
【００１０】
請求項２にかかる包装用箱は、４側面からなる箱本体の特定の側面から連続的に切曲形成され、前記４側面からなる箱本体の底面の対向側面までの距離に形成された底面の自由端側に突出形成された１個以上の係合凸部は、前記箱本体の底面を切曲形成した側面に対向する側面の下部に形成された前記底面の自由端側に突出形成された切欠部に収容される。それにより、前記箱本体の底は、長方形から平行四辺形に変化できなくなり、かつ、各側面から形成される底片と共に略２重底となり、機械的強度が高くなる。
【００１１】
請求項３にかかる包装用箱は、前記請求項１及び請求項２の構成を同時に具備するものであるから、請求項１及び請求項２の効果を同時に満足することができる。
【発明を実施するための最良の形態】
【００１２】
次に、本発明の実施の形態について、図を用いて説明する。
【００１３】
（実施の形態１）
図１は本発明の実施の形態１の包装用箱の展開図、図２は本発明の実施の形態１の包装用箱の全体斜視図である。また、図３は本発明の実施の形態１の包装用箱のＡ−Ａ断面図、図４は本発明の実施の形態１の包装用箱のＢ−Ｂ断面図である。図５は本発明の実施の形態１の包装用箱の折り畳み状態の正面図、図６は本発明の実施の形態１の包装用箱の折り畳み状態の背面図である。そして、図７は本発明の実施の形態２の包装用箱の展開図である。
【００１４】
図１から図６において、短辺側の側面１，３、長辺側の側面２，４の４側面は、糊代面５が長辺側の側面４の裏面に接着剤で接着され、四角の枠体となり箱本体Ａが形成されている。蓋体１３を形成する側面は、側面４に限定されるものではなく、側面１，２，３のいずれでもよい。しかし、図１の展開図からわかるように、短辺側の側面１，３に形成すると、距離が長くなり、無駄な紙面の量が多くなる。したがって、長辺側の側面２，４に形成するのが望ましい。
【００１５】
蓋体１３の自由端側に折曲形成した蓋体側面１４は、箱本体Ａの蓋体１３を連続的に形成した側面４に対向する側面２と重なり合う部分である。したがって、その面積は広いことが望ましいが、その程度は、意匠性によって判断することができる。
蓋体側面１４には、その中央に蓋体側面１４から突出した略長方形状の凸部１４ａが形成されている。略長方形状の凸部１４ａに対向する蓋体側面１４の位置に、蓋体側面１４に凸部１４ａ側に凸の湾曲した切溝１４ｂが形成されている。
なお、開口片１１及び開口片１２は、箱本体Ａと蓋体１３との隙間をなくすものであり、公知の構造であり、任意の大きさに形成される。
【００１６】
短辺側の側面１及び側面３の下方には、各々底片２１及び底片２３が形成されている。各底片２１及び底片２３は、側面１及び側面３から内側に折り畳み自在となっており、更に、側面１及び側面３の下辺から４５度の折り畳みができるように、折り畳み線２１ａと折り畳み線２３ａが形成されている。この折り畳み線２１ａと折り畳み線２３ａは、箱本体Ａの内側に折り込まれる。
側面１と側面３の下辺から４５度の折り畳みができるように形成された折り畳み線２１ａと折り畳み線２３ａの範囲外は、糊代２１ｂと糊代２３ｂとなっている。
【００１７】
また、長辺側の側面４の下方には、箱本体Ａの内側の底部寸法に近似した底面２４が形成されている。即ち、底面２４は、長辺側の側面４と略同一であり、端辺側の側面１，３と略同一または１／２程度の長さまでに形成される。長辺側の側面２の下方には、箱本体Ａの内側の寸法に近似した底面２２が形成されている。即ち、底面２２は、長辺側の側面２と略同一であり、端辺側の側面１，３と略同一程度の長さに形成される。
【００１８】
そして、底面２２には、長辺側の側面２の反対側に２個の係合凸部２２ａ，２２ｂが形成されている。係合凸部２２ａ，２２ｂは、略長方形である。したがって、底面２２の短辺側の長さは、正確には、係合凸部２２ａ，２２ｂの幅が加えられるので、側面１，３の長さよりも若干長くなっている。
【００１９】
底面２２の短辺側の両端部には、切欠き２２ｃ及び切欠き２２ｄにより形成された凸部２２ｅ，２２ｆを有している。切欠き２２ｃ，２２ｄ及び凸部２２ｅ，２２ｆは、位置決め及び装着をし易くするための構造となるものであり、必ずしも、本発明に、必要とするものではない。
【００２０】
側面１の下辺に形成された糊代２１ｂは、底面２２の短辺側の一方の裏面に接着され、折り畳み線２１ａと底面２２の短辺側の辺が略一致するように接着される。また、側面３の下辺に形成された糊代２３ｂは、底面２４の短辺側の一方の裏面に接着され、折り畳み線２３ａと底面２４の短辺側の辺が略一致するように接着される。これらの接合位置は、箱本体Ａの内側の対角線上の位置となる。また、接着状態では、折り畳み線２１ａ及び折り畳み線２３ａが折れていないとき、箱本体Ａは長方形となり、短辺側の側面１，３及び長辺側の側面２，４の４側面は、底片２１及び底片２３に直角となる。
この状態で、底面２２は底面２４よりも内側（上面側）に重なって位置することになる。
【００２１】
長辺側の側面２には、上方向に突出した逆Ｕ字状の切り起し溝２ｂ及び切り起し溝２ｂによって突出した凸片部２ａが形成される。即ち、箱本体Ａの蓋体１３を連続的に形成した側面４に対向する側面２に形成した切り起し溝２ｂによって、蓋体側面１４から突出形成した凸部１４ａが挿脱自在に収容されると同時に、側面２の切り起し溝２ｂによって蓋体側面１４に形成した切溝１４ｂに挿脱自在な凸片部２ａとを有している。
【００２２】
４側面１，２，３，４からなる箱本体Ａの側面４の下部には、切欠部４ａ，４ｂが形成されている。切欠部４ａ，４ｂは、底部２２の自由端側に突出形成された１個以上の係合凸部２２ａ，２２ｂを挿脱自在になっている。切欠部４ａ，４ｂに係合凸部２２ａ，２２ｂが挿入状態では、箱本体Ａの底部が底面２２で拘束され、長方形から平行四辺形に変更できなくなっている。即ち、切欠部４ａ，４ｂに係合凸部２２ａ，２２ｂが挿入状態では、係合凸部２２ａ，２２ｂが切欠部４ａ，４ｂの幅以上の移動が拘束され、かつ、箱本体Ａの底部では、凸部２２ｅ及び凸部２２ｆによって箱本体Ａの底部が、長方形から平行四辺形に変更できなくなっている。
【００２３】
ここで、包装用箱において、底面２２は底面２４よりも内側（上面側）とし、かつ、底面２４も側面４の内側に重なるように、箱本体Ａの長方形を崩すと、平行四辺形状となり、図５及び図６に示すように、折り畳むことができる。
【００２４】
（実施の形態２）
図７は本発明の実施の形態２の包装用箱の展開図である。なお、本実施の形態において、実施の形態１と同一記号または同一符号は、上記実施の形態１と同一または相当する構成部分を示すものであり、特に、本実施の形態では、上記実施の形態１との相違点について重点をおいて説明し、説明されていない事項は、基本的に実施の形態１と同様の趣旨の構成部分である。
【００２５】
長辺側の側面２の下方には、箱本体Ａの内側の寸法に近似した底面２２が形成されて折、底面２２は、長辺側の側面２と略同一であり、端辺側の側面１，３と略同一程度の長さに形成される。詳しくは、底面２２には、長辺側の側面２の反対側に２個の係合凸部２２ａａ，２２ｂｂが形成されている。係合凸部２２ａａ，２２ｂｂは、略Ｌ字形である。したがって、底面２２の短辺側の長さは、正確には、係合凸部２２ａａ，２２ｂｂの幅が加えられるので、側面１，３の長さよりも若干長くなっている。
【００２６】
４側面１，２，３，４からなる箱本体Ａの側面４の下部には、切欠部４ａ，４ｂが形成されている。切欠部４ａ，４ｂは、底部２２の自由端側に突出形成された１個以上の係合凸部２２ａａ，２２ｂｂを挿脱自在になっている。切欠部４ａ，４ｂに係合凸部２２ａａ，２２ｂｂが挿入状態では、箱本体Ａの底部が底面２２で拘束され、長方形から平行四辺形に変更できなくなっている。即ち、切欠部４ａ，４ｂに係合凸部２２ａａ，２２ｂｂが挿入状態では、係合凸部２２ａａ，２２ｂｂが切欠部４ａ，４ｂの幅以上の移動が拘束され、かつ、箱本体Ａの底部では、凸部２２ｅ及び凸部２２ｆによって箱本体Ａの底部が、長方形から平行四辺形に変更できなくなっている。
そして、本実施の形態では、係合凸部２２ａａ，２２ｂｂの略Ｌ字形が、切欠部４ａ，４ｂに挿入されると、側面４のいずれかの位置に係合し、容易に離脱できなくなり、安定した箱状態を維持できる。
【００２７】
（実施の形態３）
図８は本発明の実施の形態３の包装用箱の展開図、図９は本発明の実施の形態３の包装用箱の開蓋状態の全体斜視図、図１０は本発明の実施の形態３の包装用箱の閉蓋状態の全体斜視図、図１１は本発明の実施の形態３の包装用箱の折り畳み状態の正面図、図１２は本発明の実施の形態３の包装用箱の折り畳み状態の背面図である。なお、本実施の形態において、実施の形態１，２と同一記号または同一符号は、上記実施の形態１，２と同一または相当する構成部分を示すものであり、特に、本実施の形態では、上記実施の形態１，２との相違点について重点をおいて説明し、説明されていない事項は、基本的に実施の形態１，２と同様の趣旨の構成部分である。
実施の形態１，２では、比較的大型の包装用箱の構成について説明した。しかし、コンパクトな包装用箱の場合には、本実施の形態のような構成とすることができる。
【００２８】
図８から図１０において、短辺側の側面１，３、長辺側の側面２，４の４側面は、糊代面５が長辺側の側面４の裏面に接着剤で接着され、四角の枠体となり箱本体Ａが形成されている。蓋体１３を形成する側面は、側面４に限定されるものではなく、側面１，２，３のいずれでもよい。
蓋体１３の自由端側に折曲形成した蓋体側面１４は、箱本体Ａの蓋体１３を連続的に形成した側面４に対向する側面２と重なり合う部分である。したがって、その面積は広いことが望ましいが、その程度は、意匠性によって判断することができる。
蓋体側面１４には、その中央に蓋体側面１４から突出した略長方形状の凸部１４ａが形成されている。略長方形状の凸部１４ａに対向する蓋体側面１４の位置に、蓋体側面１４に凸部１４ａ側に凸の湾曲した切溝１４ｂが形成されている。
【００２９】
短辺側の側面１及び側面３の下方には、各々底片２１及び底片２３が形成されている。各底片２１及び底片２３は、側面１及び側面３から内側に折り畳み自在となっている。
また、長辺側の側面４の下方には、箱本体Ａの内側の底部寸法に近似した底面２４が形成され、また、長辺側の側面２の下方には、箱本体Ａの内側の寸法に近似した底面２２が形成されている。即ち、底面２２及び底面２４は、長辺側の側面４と略同一であり、端辺側の側面１，３と略同一または１／２程度の長さまでに形成される。
更に、側面２及び側面４の下辺から４５度の折り畳みができるように、折り畳み線２２０ａと折り畳み線２４０ａが形成されている。この折り畳み線２２０ａと折り畳み線２４０ａは、箱本体Ａの内側に折り込まれる。
側面２と側面４の下辺から４５度の折り畳みができるように形成された折り畳み線２２０ａと折り畳み線２４０ａの範囲外は、糊代２２０ｂと糊代２４０ｂとなっている。
【００３０】
側面２の下辺に形成された糊代２２０ｂは、底面２３の短辺側の一方の裏面に接着され、折り畳み線２２０ａと底面２２の短辺側の辺が略一致するように接着される。また、側面４の下辺に形成された糊代２４０ｂは、底面２４の短辺側の一方の裏面に接着され、折り畳み線２４０ａと底面２４の短辺側の辺が略一致するように接着される。これらの接合位置は、箱本体Ａの内側の対角線上の位置となる。また、接着状態では、折り畳み線２２０ａ及び折り畳み線２４０ａが折れていないとき、箱本体Ａは長方形となり、短辺側の側面１，３及び長辺側の側面２，４の４側面は、底片２１及び底片２３に直角となる。
この状態で、底面２２と底面２４のいずれか一方が内側（上面側）、他方が外側となり、重なって位置することになる。
【００３１】
長辺側の側面２には、上方向に突出した逆Ｕ字状の切り起し溝２ｂ及び切り起し溝２ｂによって突出した凸片部２ａが形成される。即ち、箱本体Ａの蓋体１３を連続的に形成した側面４に対向する側面２に形成した切り起し溝２ｂによって、蓋体側面１４から突出形成した凸部１４ａが挿脱自在に収容されると同時に、側面２の切り起し溝２ｂによって蓋体側面１４に形成した切溝１４ｂに挿脱自在な凸片部２ａとを有している。
【００３２】
ここで、包装用箱において、底面２２と底面２４の何れかが内側（上面側）とし、かつ、底面２２が側面２の内側及び底面２４が側面４の内側にそれぞれ重なるように、箱本体Ａの長方形を崩すと、平行四辺形状となり、図１１及び図１２に示すように、折り畳むことができる。
【００３３】
本実施の形態１，３の包装用箱は、４側面１，２，３，４からなる箱本体Ａの特定の側面、本実施の形態では、側面４から連続的に形成された蓋体１３と、蓋体１３の自由端側に折曲形成し、箱本体Ａの蓋体１３を連続的に形成した側面４に対向する側面２と重なり合う蓋体側面１４と、蓋体側面１４から突出形成した凸部１４ａ及び蓋体側面１４に形成した切溝１４ｂと、箱本体Ａの蓋体１３を連続的に形成した側面４に対向する側面２に形成した切り起し溝２ｂによって蓋体側面１４から突出形成した凸部１４ａが挿脱自在に収容されると同時に、側面２に形成した切り起し溝２ｂによって形成された蓋体側面１４に形成した切溝１４ｂに挿脱自在な凸片部２ａを具備するものである。
【００３４】
本実施の形態１，３の包装用箱は、４側面１，２，３，４からなる箱本体Ａの特定の側面、本実施の形態では、側面４から連続的に形成された蓋体１３の自由端側に折曲形成した蓋体側面１４は、箱本体Ａの蓋体１３を連続的に形成した側面４に対向する側面２と重なり合い、蓋体側面１４から突出形成した凸部１４ａは側面２に形成した切り起し溝２ｂに挿脱自在となる。同時に、側面２に形成した凸片部２ａは、蓋体側面１４の切溝１４ｂに挿脱自在となる。したがって、蓋体側面１４から突出形成した凸部１４ａが側面２に形成した切り起し溝２ｂに挿入され、側面２に形成した凸片部２ａが蓋体側面１４の切溝１４ｂに挿入されると、その接触抵抗により、包装用箱の蓋体１４は閉じた状態を維持する。また、蓋体側面１４から突出形成した凸部１４ａが側面２に形成した切り起し溝２ｂに挿入されていないとき、側面２に形成した凸片部２ａが蓋体側面１４の切溝１４ｂに挿入されていないとき、包装用箱の蓋体１３は開いた状態を維持する。よって、折り畳み可能であり、箱状態にしたとき蓋体１３が開いた状態または閉じた状態が維持できる包装用箱となる。
【００３５】
本実施の形態１の包装用箱は、４側面１，２，３，４からなる箱本体Ａの特定の側面、本実施の形態では、側面４から連続的に切曲形成され、前記４側面１，２，３，４からなる箱本体Ａの底面２２の対向側面４までの距離に形成された底部２２と、底部２２の自由端側に突出形成された１個以上の係合凸部２２ａ，２２ｂと、箱本体Ａの底部２４を切曲形成した側面４に対向し、底部２２の自由端側に突出形成された前記１個以上の係合凸部２２ａ，２２ｂを収容する切欠部４ａ，４ｂとを具備するものである。
【００３６】
したがって、本実施の形態１の包装用箱は、４側面１，２，３，４からなる箱本体Ａの特定の側面、本実施の形態では、側面４から連続的に切曲形成され、前記４側面１，２，３，４からなる箱本体Ａの底面２２の対向側面４までの距離に形成され、底部２２の自由端側に突出形成された１個以上の係合凸部２２ａ，２２ｂは、箱本体Ａの底部２４を切曲形成した側面４に対向し、底部２２の自由端側に突出形成された切欠部４ａ，４ｂに収容される。それにより、箱本体Ａの底は、各側面１，２，３，４から形成される底片２１，２３及び底部２４と共に略２重底となり、機械的強度が高くなる。よって、ダンボールよりも柔軟性のある厚手の紙で作られ、折り畳み可能であり、箱状態にしたとき蓋体が開いた状態または閉じた状態が維持できる。
【産業上の利用可能性】
【００３７】
上記実施の形態のように、本発明は、請求項１の発明に基づき実施物を構成することができるし、また、請求項２の発明に基づき実施物を構成することができる。しかし、本発明を実施する場合には、両者を併せ持つと、最も、安定した強度のものを実施できる。
このためには、側面の寸法、包装用箱体の全体形状は、格別問題になるものではない。
【図面の簡単な説明】
【００３８】
【図１】図１は本発明の実施の形態１の包装用箱の展開図である。
【図２】図２は本発明の実施の形態１の包装用箱の全体斜視図である。
【図３】図３は本発明の実施の形態１の包装用箱のＡ−Ａ断面図である。
【図４】図４は本発明の実施の形態１の包装用箱のＢ−Ｂ断面図である。
【図５】図５は本発明の実施の形態１の包装用箱の折り畳み状態の正面図である。
【図６】図６は本発明の実施の形態１の包装用箱の折り畳み状態の背面図である。
【図７】図７は本発明の実施の形態２の包装用箱の展開図である。
【図８】図８は本発明の実施の形態３の包装用箱の展開図である。
【図９】図９は本発明の実施の形態３の包装用箱の開蓋状態の全体斜視図である。
【図１０】図１０は本発明の実施の形態３の包装用箱の閉蓋状態の全体斜視図である。
【図１１】図１１は本発明の実施の形態３の包装用箱の折り畳み状態の正面図である。
【図１２】図１２は本発明の実施の形態３の包装用箱の折り畳み状態の背面図である。
【符号の説明】
【００３９】
Ａ                  箱本体
１，２，３，４      側面
２ａ                凸片部
２ｂ                切り起し溝
１４ａ              凸部
１４ｂ              切溝
２１，２３          底片
２２，２４          底面
２２ａ，２２ａａ，２２ｂ，２２ｂｂ    係合凸部
４ａ，４ｂ                切欠部
【図１】
2005280779.tif 000003
【図２】
2005280779.tif 000004
【図３】
2005280779.tif 000005
【図４】
2005280779.tif 000006
【図５】
2005280779.tif 000007
【図６】
2005280779.tif 000008
【図７】
2005280779.tif 000009
【図８】
2005280779.tif 000010
【図９】
2005280779.tif 000011
【図１０】
2005280779.tif 000012
【図１１】
2005280779.tif 000013
【図１２】
2005280779.tif 000014